(57)【要約】【課題】本発明は自由に組み合わせ可能なエネルギーアクセサリーの製造工程を提供する。【解決手段】本考案は、線体を通す複数のアクセサリー部材と、前記アクセサリー部材内に設けられた開口部と、前記アクセサリー部材に設けられた少なくとも一つのエネルギー発散素子とからなる。その内、前記アクセサリー部材は、少なくとも一つの装飾部を備えるとともに、前記開口部には前記線体が通され、前記エネルギー発散素子はエネルギーを放出する。製造するときは、まず、アクセサリーの原型に対して冷却を行い、冷却が完成した後に、ロッドから取り出して前記開口部を形成させ、さらにアクセサリーの原型に対して機械を回転させ研磨を行う。次に、装飾部表面に磨きこみを行い、さらにその表面に鑽孔を行って、孔を形成させる、最後に、エネルギー発散素子を前記孔内に配置することで、アクセサリー部材が完成する。【選択図】図２
2018007744.tif 000002
【特許請求の範囲】
【請求項１】
（ａ）から（ｆ）の手順からなる自由に組み合わせ可能なエネルギーアクセサリーの製造工程であって、
（ａ）は、高温で原料をロッド上に溶かしてモールディングを行い、アクセサリーの原型を生成する手順であり、
（ｂ）は、アクセサリーの原型に対して冷却を行い、冷却が完成した後に、ロッドから取り出し開口部を形成させる手順であり、
（ｃ）は、アクセサリーの原型に対して機械を回転させ研磨を行う手順であり、
（ｄ）は、アクセサリーの原型に対して装飾部表面の磨き込みを行う手順であり、
（ｅ）は、アクセサリー原型の表面に対して鑽孔を行い、孔を形成させる手順であり、
（ｆ）は、エネルギー発散素子を前記孔内に配置することで、アクセサリー部材を形成させる手順であり、
前記アクセサリー部材は、少なくとも一つの装飾部材を有し、前記装飾部材は前記装飾部を備えることを特徴とする、自由に組み合わせ可能なエネルギーアクセサリーの製造工程。
【発明の詳細な説明】
【技術分野】
【０００１】
本発明は、エネルギーアクセサリーに関し、特に使用者に更に多くの選択肢を提供するとともに使用者がアクセサリー部材を自由に組み合わせ可能なエネルギーアクセサリーの製造工程に関する。
【背景技術】
【０００２】
現代人の忙しい生活のリズムの中では、運動をする時間はほとんどない。運動量が少なくなり忙しい状況の中で、体の新陳代謝や血液の循環が悪くなり、体の不調が生じてしまう。その中で、ゲルマニウム元素を利用して体の健康状態を改善する人が現れた。ゲルマニウムは、化学元素で、半導体の材料であり、一般的には、無機ゲルマニウムと有機ゲルマニウムに分けられる。また、有機ゲルマニウムの化学特性は、健康と治療効果を備えている。人体の各部位は特定の電位を有しており、電位がねじれると病気がでてくる。ゲルマニウムは、高電位の癌細胞から電子を奪い、その電位効果を利用してがん細胞の活動を抑制する作用を達成する。人々は、ゲルマニウム元素を身に着けて持ち運ぶためにゲルマニウム元素が含まれたアクセサリーの作り方、つまり、現在の市場にある従来のエネルギーアクセサリーを開発した。
【０００３】
市場でよく見られる従来のエネルギーアクセサリーは、ゲルマニウム鉱石態様にしたゲルマニウム元素を、エネルギーアクセサリーのどこかに埋め込む。市場で見られるように腕輪にしたり、重ねたブレスレットにしたりすることにより、使用者はゲルマニウム鉱石が含まれたエネルギーアクセサリーを携帯することができる。それによりゲルマニウム元素の健康効果で、体の健康状況を改善することができる。
【０００４】
しかしながら、上述の従来のエネルギーアクセサリーを使用するとき、以下の問題と欠点が存在し、改善が待たれている。
一、ゲルマニウム鉱石を単一の従来のエネルギーアクセサリーのどこかに埋め込んだ場合、使用者は単一の選択肢しかもつことができない。
二、重ねてブレスレット状にした従来のエネルギーアクセサリーは、あらかじめゲルマニウム鉱石が含まれた各段のアクセサリー部材を組み合わせることになり、使用者は、自由に各アクセサリー部材を変えることができない。
【発明の概要】
【発明が解決しようとする課題】
【０００５】
本発明は、複数のアクセサリー部材に開口部を設けることにより、アクセサリー部材に線体を通すことができ、また、複数のアクセサリー部材にエネルギー発散素子を設けることで、使用者に更に多くの選択肢を与えるとともに使用者に自由にアクセサリー部材を交換させることができるエネルギーアクセサリーの製造工程を提供することを目的とする。
【０００６】
また、本発明は、アクセサリー部材に取り付けられたゲルマニウム鉱石を利用することにより、使用者がゲルマニウム鉱石を取り付けたアクセサリー部材を肌身離さず携帯することで、体の健康状況を改善することが可能なエネルギーアクセサリーの製造工程を提供することを目的とする。
【課題を解決するための手段】
【０００７】
上述の目的を達成するために、本発明の構造は、線体を通す複数のアクセサリー部材と、前記アクセサリー部材内に設けられた開口部と、前記アクセサリー部材に設けられた少なくとも一つのエネルギー発散素子とからなる。その内、前記アクセサリー部材は、少なくとも一つの装飾部を備えるとともに、前記開口部には前記線体が通され、前記エネルギー発散素子はエネルギーを放出する。本発明を製造するときは、まず、原料を火に近づけて溶かし、溶かした後の原料をロッドに載せる。ロッドを回転させたとき、原料がロッド表面上で成形する。俗にモールディングという。その後、さらにアクセサリーの原型を冷却させ、冷卻が終わった後、ロッドから取り出すと、ロッドを差し込んでいた位置が前記開口部を形成する。その後、さらに、回転機械に置いて研磨を行う。その後さらに取り出して装飾部表面に対して磨き込みを行う。上述の動作が完成すると、表面に対して鑽孔を行い、孔を形成させる。最後に、エネルギー発散素子を前記孔内に配置することで、アクセサリー部材を形成させる。以上により、使用者が、エネルギー発散素子が設けられたアクセサリー部材を携帯すると、エネルギー発散素子によって体の健康状況を改善することができる。従って、本考案は、使用者に更に多くの選択肢をもたせることができる、使用者にアクセサリー部材を自由に変更させることができる、使用者がエネルギー発散素子によって体の健康が改善する、といった進歩性を有する。
【発明の効果】
【０００８】
上述の技術により、従来のエネルギーアクセサリーに存在していた、使用者が単一の選択肢しかなく、使用者は各アクセサリー部材を自由に変更できないという問題点を解決し、上述の利点をもった進歩性を達成することができる。
【図面の簡単な説明】
【０００９】
【図１】本発明による好ましい実施例の工程手順図である。
【図２】本発明による好ましい実施例の斜視図である。
【図３】本発明による好ましい実施例の使用状態図である。
【図４】本発明による好ましい実施例の図３のＡ−Ａ線断面図である。
【図５】本発明による好ましい実施例の図３のＢ−Ｂ線断面図である。
【図６】本発明による好ましい実施例の図３のＣ−Ｃ線断面図である。
【発明を実施するための形態】
【００１０】
図１から図３を参照する。図１から図３は、本発明による好ましい実施例の工程手順図から使用状態図である。図から分かるように、本発明の製造工程は以下の手順からなる。
（ａ）高温で原料をロッド上に溶かしてモールディングを行い、アクセサリーの原型を生成する。
（ｂ）アクセサリーの原型に対して冷却を行い、冷却が完成した後に、ロッドから取り出し、開口部を形成させる。
（ｃ）アクセサリーの原型に対して機械を回転させ研磨を行う。
（ｄ）アクセサリー原型の装飾部に対して表面の磨き込みを行う。
（ｅ）アクセサリー原型の表面に対して鑽孔を行い、孔を形成させる。
（ｆ）エネルギー発散素子を前記孔内に配置することで、アクセサリー部材を形成させる。
【００１１】
言い換えると、前記アクセサリー部材は、上述の手順を経て作り出すことができ、その構造は、主に、線体を通す複数のアクセサリー部材１、アクセサリー部材１内に設けられた開口部１２と、少なくとも一つのアクセサリー部材１に設けられたエネルギー発散素子１３とからなる。アクセサリー部材１は、異なる形状にすることができるとともに、アクセサリー部材１は、少なくとも一つの装飾部１１を備える。また、アクセサリー部材１は、少なくとも一つの装飾部材１４を備え、装飾部材１４は、装飾部１１を備え、装飾部１１は、異なる図と文字にすることができ、装飾部１１は異なる色にすることができ、装飾部１１の材質は、瑠璃、銀、ステンレス、セラミックス或純チタンの内の一つである。
【００１２】
開口部１２は、線体を通すことができ、エネルギー発散素子１３はエネルギーを放出することができ、エネルギー発散素子１３はゲルマニウム鉱石である。
【００１３】
図１から図６を同時に参照する。図１から図６は、本発明の好ましい実施例の工程手順の図から図２のＣ−Ｃ線断面図である。図から分かるように、アクセサリー部材１は異なる形状にすることができ、装飾部１１は異なる図と文字にすることができるとともに異なる色にすることができる。その材質は、瑠璃、銀、ステンレス、セラミックス、純チタンの内の一つである。装飾部材１４には、装飾部１１を設けることができ、異なる形状、異なる図と文及び異なる色の設計によって、使用者は好みのアクセサリー部材１を自由に選択できる。開口部１２によってアクセサリー部材１に線体を通すことによって、使用者は、異なるアクセサリー部材１によって、自分だけのエネルギーアクセサリーを創りだすことができる。従って、使用者はエネルギー発散素子１３（本発明は、ゲルマニウム鉱石をエネルギー発散素子１３にしているが、これに限らない）を含むアクセサリー部材１を肌身離さず持ち運ぶことができ、ゲルマニウム鉱石の特殊健康効果により、使用者の体の健康状態を改善することができる。また、開口部１２の設計により、使用者はいつでもアクセサリー部材１を交換することができ、それにより、使用者は自分の気持ちに応じて自分だけのエネルギーアクセサリーを組み合わせて創りだすことができる。従って、本発明は、使用者にさらに多くのアクセサリー部材１の選択肢を提供することで、アクセサリー部材１を自由に交換させることができるとともに、ゲルマニウム鉱石の健康効果で体の健康状況を改善することができる。本発明は、使用者が自分だけのエネルギーアクセサリーを創りだせるという進歩性がある。
【００１４】
以上に述べたように、本発明による自由に合わせることが可能なエネルギーアクセサリーの製造工程が改善できる従来の技術は以下の通りである。
１、複数のアクセサリー部材１に開口部１２を設けることにより、アクセサリー部材１に線体を通すとともに、複数のアクセサリー部材１にエネルギー発散素子１３を設けることで、本発明は、使用者にさらに多くの選択肢をあたえ、使用者に自由にアクセサリー部材を交換する目的を達成することができる。
２、アクセサリー部材１に取り付けられたゲルマニウム鉱石により、使用者がゲルマニウム鉱石を有するアクセサリー部材１を携帯することで、体の健康状態を改善することができる。
【符号の説明】
【００１５】
１      アクセサリー部材
１３    エネルギー発散素子
１１    装飾部
１４    装飾部材
１２    開口部
【図１】
2018007744.tif 000003
【図２】
2018007744.tif 000004
【図３】
2018007744.tif 000005
【図４】
2018007744.tif 000006
【図５】
2018007744.tif 000007
【図６】
2018007744.tif 000008